(57)【要約】      （修正有）【課題】冷媒回収運転時に室内機を介さず冷媒を室外機に回収することができ、また、封入冷媒量が多い空気調和機においても、冷媒漏れ量を削減できる空気調和機の提供を目的とする。【解決手段】室外機２に冷媒を回収する冷媒回収運転を行う際、室外膨張弁２５、液冷媒遮断弁５１、室内膨張弁８１、を閉じ、室内機３とガス冷媒配管１０２に滞留する冷媒を室外機２に回収して、ガス冷媒遮断弁５２を閉じる。その後、第１バイパス管２７ａと過冷却熱交換器２７の冷却側配管２７ｄと第２バイパス管２７ｂとからなるバイパス回路から、液冷媒配管１０１に滞留する冷媒を回収して、液冷媒遮断弁５１を閉じることで、液冷媒配管１０１に滞留する冷媒を室内機３を介さずに室外機２に回収することができ、冷媒漏れ量を削減できる。【選択図】図３
2015075272.tif 000002
【特許請求の範囲】
【請求項１】
圧縮機と室外熱交換器と室外側開閉弁とアキュムレータとを有する室外機と、室内熱交換器と室内側開閉弁とを有する室内機とが、液冷媒配管とガス冷媒配管により接続される空気調和機であって、
前記空気調和機は、前記液冷媒配管の冷媒の流れを遮断可能な液冷媒遮断機構と、前記ガス冷媒配管の冷媒の流れを遮断可能なガス冷媒遮断機構と、前記室外側開閉弁と前記液冷媒遮断機構の間と前記ガス冷媒遮断機構と前記アキュムレータの間とをバイパスする冷媒回収用開閉弁を有するバイパス回路と、前記各冷媒遮断機構や前記全ての開閉弁の開閉制御を行う制御手段と、を有し、
前記制御手段は、前記室外機に冷媒を回収する冷媒回収運転を実行する際、
前記液冷媒遮断機構を閉じ、前記ガス冷媒遮断機構を開いて、前記室内機、および、前記ガス冷媒配管に滞留する冷媒を回収するガス冷媒回収運転、および／または、
前記ガス冷媒遮断機構を閉じ、前記液冷媒遮断機構を開いて、前記液冷媒配管に滞留する冷媒を回収する液冷媒回収運転、がある、
ことを特徴とする空気調和機。
【請求項２】
前記室外機は、前記圧縮機から吐出された冷媒を前記室外熱交換器もしくは前記室内熱交換器に流れるように切り換える流路切換手段をさらに有し、
前記ガス冷媒遮断機構に代えて、逆止弁を備え、
前記逆止弁は、前記流路切換手段と前記アキュムレータとを接続する冷媒配管に備えられ、前記流路切換手段から前記アキュムレータへ向かって冷媒が流れるように配置され、前記バイパス回路の一端は前記逆止弁の流出側に接続する、
ことを特徴とする請求項１に記載の空気調和機。
【請求項３】
前記制御手段は、前記室内機もしくは前記ガス冷媒配管で冷媒漏れが発生した時に、前記冷媒回収運転を実行する際、前記ガス冷媒回収運転を先に開始し、前記液冷媒回収運転を後で行う、
ことを特徴とする請求項１または請求項２に記載の空気調和機。
【請求項４】
前記制御手段は、前記液冷媒配管で冷媒漏れが発生した時に、前記冷媒回収運転を実行する際、前記液冷媒回収運転を先に開始し、前記ガス冷媒回収運転を後で行う、
ことを特徴とする請求項１または請求項２に記載の空気調和機。
【請求項５】
前記室外機は、前記圧縮機の吸入側に吸入圧力を検出する吸入圧力検知手段を有し、
前記制御手段は、前記ガス冷媒回収運転を行っているときに、前記吸入圧力検知手段で検出した前記吸入圧力が第１の所定閾圧力以下である場合は、前記ガス冷媒回収運転を終了し、前記液冷媒回収運転を行っているときに、前記吸入圧力検知手段で検出した前記吸入圧力が第２の所定閾圧力以下である場合は、前記液冷媒回収運転を終了する、
ことを特徴とする請求項１乃至請求項４に記載の空気調和機。
【請求項６】
前記制御手段は、ガス冷媒回収運転、または、液冷媒回収運転の運転時間の計測を行い、前記ガス冷媒回収運転の運転時間が第１の所定時間を経過すれば、前記ガス冷媒回収運転を終了し、前記液冷媒回収運転の運転時間が第２の所定時間を経過すれば、前記液冷媒回収運転を終了する、
ことを特徴とする請求項１乃至請求項４に記載の空気調和機。
【発明の詳細な説明】
【技術分野】
【０００１】
本発明は、室外機と室内機とが複数の冷媒配管で接続された空気調和機に係わり、より詳細には、空気調和機に封入された冷媒を室外機に回収する冷媒回収運転に関するものである。
【背景技術】
【０００２】
現在、空気調和機などの冷媒には、オゾン層を破壊しないＨＦＣ系冷媒が使用されている。しかし、このＨＦＣ系冷媒は、温暖化係数が非常に高く、温暖化防止のため、排出規制の対象となっている。そのため、空気調和機における冷媒漏れ量の削減については、様々な方法が提案されており、例えば、室内機側で冷媒が漏れた場合に、室外機側に冷媒を回収することが提案されている。
【０００３】
特許文献１に記載の空気調和機は、圧縮機、室外熱交換器を有する室外機と、室内熱交換器を有する室内機とが、液冷媒配管およびガス冷媒配管により順次接続され、液冷媒配管およびガス冷媒配管の途中には、液冷媒配管開閉弁およびガス冷媒配管開閉弁が設けられている。さらに、空気調和機は、室内機を設置した室内に冷媒漏洩検知装置を設け、冷媒漏洩検知装置が所定以上の冷媒の漏洩を検知したとき、室内機と、ガス冷媒配管と、液冷媒配管とに滞留している冷媒を室外機に回収する冷媒回収運転を行う。冷媒回収運転は、液冷媒配管開閉弁を閉じ、所定時間、あるいは圧縮機の吸入側圧力が所定の値に低下するまで圧縮機を運転し、冷媒を室外機に回収した後、ガス冷媒配管開閉弁を閉じる。室外機に回収された冷媒は、液冷媒配管開閉弁が閉じられているので室外熱交換器に溜まる。このとき、液冷媒配管に滞留する冷媒は、室内機からガス冷媒配管と流れて室外機に回収される。
【先行技術文献】
【特許文献】
【０００４】
【特許文献１】特開平５−１１８７２０号公報
【発明の概要】
【発明が解決しようとする課題】
【０００５】
特許文献１に記載の空気調和機では、冷媒回収運転時は、液冷媒配管に滞留する冷媒が、必ず室内機を介して室外機に回収されるので、室内機で冷媒漏れが発生している場合、冷媒回収運転で液冷媒配管に滞留する冷媒が室内機を流れるときにさらに室内に冷媒が漏れる虞があった。
【０００６】
また、一般的にビル等に設置される大型の空気調和機では、家庭用の空気調和機に比べ、封入冷媒量が多くなる。これは、ビル等に設置される大型の空気調和機は、複数の室内機がビル全体に渡り配置されるため、家庭用の空気調和機に比べ、室外機と室内機を接続する冷媒配管が長くなるためであり、冷媒配管が長くなる分、空気調和機に必要な冷媒量が多くなる。従って、大型の空気調和機において室内機で冷媒漏れが発生した場合には、家庭用の空気調和機と比べて冷媒漏れ量が多くなる虞があり、この冷媒漏れ量を削減する対策が求められる。
【０００７】
本発明は、上記の問題点を解決し、冷媒回収運転時に冷媒漏れ量を削減できる空気調和機の提供を目的とする。
【課題を解決するための手段】
【０００８】
上記の課題を解決するために、本発明の空気調和機は、圧縮機と室外熱交換器と室外側開閉弁とアキュムレータとを有する室外機と、室内熱交換器と室内側開閉弁とを有する室内機とを、液冷媒配管とガス冷媒配管で接続したものである。また、室外機は、液冷媒配管の冷媒の流れを遮断することが可能な液冷媒遮断機構と、ガス冷媒配管の冷媒の流れを遮断することが可能なガス冷媒遮断機構と、室外側開閉弁と液冷媒遮断機構の間とガス冷媒遮断機構とアキュムレータの間とをバイパスする冷媒回収用開閉弁を有するバイパス回路と、を有し、室外機に冷媒を回収する冷媒回収運転を実行する際、液冷媒遮断機構を閉じ、ガス冷媒遮断機構を開いて、室内機およびガス冷媒配管に滞留する冷媒を回収するガス冷媒回収運転、および／または、ガス冷媒遮断機構を閉じ、液冷媒遮断機構を開いて、液冷媒配管に滞留する冷媒を回収する液冷媒回収運転、を行うものである。
【発明の効果】
【０００９】
上記のように構成した本発明の空気調和機によれば、冷媒回収運転の際、室内機とガス冷媒配管とに滞留する冷媒を室外機に回収し、バイパス回路を介して液冷媒配管の冷媒を室外機に回収するので、液冷媒配管の冷媒を室内機を介さずに回収でき、冷媒漏れ量を削減できる。
【図面の簡単な説明】
【００１０】
【図１】本発明の実施例１である空気調和機の冷媒回路図であり、冷房運転と暖房運転を行う場合の冷媒の流れを示す冷媒回路図である。
【図２】本発明の実施例１における、冷媒回収運転の一つであるガス冷媒回収運転時の弁の開閉状態および冷媒の流れを示す冷媒回路図である。
【図３】本発明の実施例１における、冷媒回収運転の一つである液冷媒回収運転時の弁の開閉状態および冷媒の流れを示す冷媒回路図である。
【図４】本発明の実施例１における、熱交冷媒排出運転時の弁の開閉状態および冷媒の流れを示す冷媒回路図である。
【図５】本発明の実施例１における、余剰冷媒排出運転時の弁の開閉状態および冷媒の流れを示す冷媒回路図である。
【図６】本発明の実施例１における、冷媒回収運転の処理の流れを示すフローチャートである。
【図７】本発明の実施例１における、熱交冷媒排出運転の処理の流れを示すフローチャートである。
【図８】本発明の実施例１における、余剰冷媒排出運転の処理の流れを示すフローチャートである。
【図９】本発明の実施例２である空気調和機の冷媒回路図であり、冷房運転と暖房運転を行う場合の冷媒の流れを示す冷媒回路図である。
【発明を実施するための形態】
【００１１】
以下、本発明の実施の形態を、添付図面に基づいて詳細に説明する。以下の説明では、１台の室外機と１台の室内機が冷媒配管で接続された空気調和機を例に挙げて説明する。尚、本発明は以下の実施形態に限定されることはなく、本発明の主旨を逸脱しない範囲で種々変形することが可能である。
【実施例１】
【００１２】
図１に示すのは、本実施例における空気調和機１である。空気調和機１は、圧縮機２１、流路切換手段である四方弁２２、室外熱交換器２３、室外ファン２４、室外側開閉弁である室外膨張弁２５、アキュムレータ２６、過冷却熱交換器２７、冷媒回収用開閉弁である過冷却膨張弁２８、液冷媒遮断機構である液冷媒遮断弁５１、ガス冷媒遮断機構であるガス冷媒遮断弁５２を有する室外機２と、室内側開閉弁である室内膨張弁８１、室内熱交換器８２、室内ファン８３を有する室内機３と、室外機２と室内機３を繋ぐ液冷媒配管１０１とガス冷媒配管１０２とを備え、室外ファン２４と室内ファン８３を除く各構成が相互に冷媒配管で接続されて冷媒回路が形成されている。
【００１３】
まずは、室外機２の各構成を説明する。圧縮機２１は、インバータにより回転数が制御される図示しないモータによって駆動されることで運転容量を可変できる容量可変型圧縮機である。圧縮機２１の吐出側は四方弁２２に冷媒配管で接続され、圧縮機２１の吸入側はアキュムレータ２６に冷媒配管で接続される。
【００１４】
四方弁２２は、冷媒の流れる方向を切換えるための弁であり、ａ、ｂ、ｃ、ｄの４つのポートを備えている。ポートａは圧縮機２１の吐出側と、ポートｂは室外熱交換器２３と、ポートｃはアキュムレータ２６と、ポートｄはガス冷媒遮断弁５２を介して室内機３と、それぞれ冷媒配管で接続される。
【００１５】
室外熱交換器２３は、冷媒と室外空気との熱交換を行うものであり、一方の冷媒出入り口が四方弁２２のポートｂと、他方の冷媒出入り口が室外膨張弁２５を介して室内機３とそれぞれ冷媒配管で接続される。室外膨張弁２５は、室外熱交換器２３における冷媒流量を調整するものであり、図示しないパルスモータにより駆動され、パルスモータに与えるパルス数によって弁の開度が調整される。室外膨張弁２５は、一方のポートが室外熱交換器２３と、他方のポートは過冷却熱交換器２７の被冷却側配管２７ｃとそれぞれ冷媒配管で接続される。尚、本実施例では、室外側開閉弁を室外膨張弁としているが、これに限定されるものではなく、例えば、電磁開閉弁と減圧手段（キャピラリーチューブや電子膨張弁）とを並列に組み合わせて冷媒流量を調整する機能を有するようにした構成であってもよい。
【００１６】
室外ファン２４は、室外熱交換器２３近傍に配置され、図示しないファンモータによって回転することで、室外機２内に室外空気を取り込み、室外熱交換器２３で冷媒と熱交換させて室外機２外に放出する。
【００１７】
アキュムレータ２６は、室内機３の運転負荷の変化に応じて発生する余剰冷媒を溜めることが可能な容器であり、冷媒流入側が四方弁２２のポートｃに冷媒配管で接続され、冷媒流出側が圧縮機２１の吸入側に冷媒配管で接続される。尚、アキュムレータ２６には、アキュムレータ２６を加熱する図示しない電気ヒータ（例えば、ベルトヒータ）を取り付けている。
【００１８】
過冷却熱交換器２７は、外側の被冷却側配管（外管）２７ｃと内側の冷却側配管（内管）２７ｄとを同軸配管とした２重管熱交換器となっており、被冷却側配管２７ｃの冷媒と冷却側配管２７ｄの冷媒との熱交換を行うものである。被冷却側配管２７ｃは、一端が室外膨張弁２５と、他端が液冷媒遮断弁５１とそれぞれ冷媒配管で接続され、冷却側配管２７ｄは、一端が室外膨張弁２５と過冷却熱交換器２７との間の分岐部６１に第１バイパス管２７ａで接続され、他端が四方弁２２のポートｃとアキュムレータ２６との間の合流部６２に第２バイパス管２７ｂで接続される。尚、第１バイパス管２７ａは、過冷却熱交換器２７と液冷媒遮断弁５１の間の冷媒配管から分岐する構成であってもよい。分岐部６１と冷却側配管２７ｄとを接続する第１バイパス管２７ａには、過冷却膨張弁２８が設けられている。過冷却膨張弁２８は、過冷却熱交換器２７の冷却側配管２７ｄへの冷媒流量を調整するものであり、図示しないパルスモータにより駆動され、パルスモータに与えるパルス数によって弁の開度が調整される。尚、本実施例では、冷媒回収用開閉弁を過冷却膨張弁としているが、これに限定されるものではなく、例えば、電磁開閉弁と減圧手段（キャピラリーチューブや電子膨張弁）とを並列に組み合わせて冷媒流量を調整する機能を有するようにした構成であってもよい。
【００１９】
液冷媒遮断弁５１は、室外機２と室内機３とを接続する液冷媒配管１０１における冷媒の流れを遮断するものであり、一方が過冷却熱交換器２７の被冷却側配管２７ｃと、他方が液冷媒配管１０１の一端とそれぞれ冷媒配管で接続される。
【００２０】
ガス冷媒遮断弁５２は、室外機２と室内機３とを接続するガス冷媒配管１０２における冷媒の流れを遮断するものであり、一方がガス冷媒配管１０２の一端と、他方が四方弁２２のポートｄとそれぞれ冷媒配管で接続される。
【００２１】
また、室外機２には、圧縮機２１の吐出側に吐出圧力検知手段である吐出圧力センサ３１、吐出温度検知手段である吐出温度センサ４１を備え、圧縮機２１の吸入側に吸入圧力検知手段である吸入圧力センサ３２、吸入温度検知手段である吸入温度センサ４２が備えられている。図示しないが、その他にも、室外熱交換器２３に流入あるいは流出する冷媒の温度や、過冷却熱交換器２７の被冷却側配管２７ｃに流入あるいは流出する冷媒の温度や、過冷却熱交換器２７の冷却側配管２７ｄから流出する冷媒の温度や、外気温度を検出するための各種温度センサが設けられている。
【００２２】
また、室外機２には、室外制御装置２９が備えられている。室外制御装置２９には、図示しない通信部や制御部を備えている。通信部は、図示しない通信線を介して、後述する室内制御装置８４と随時運転情報のやり取りを行っている。制御部は、各センサで検知した結果や室内機３から送られてくる要求能力等の運転情報を用いて、圧縮機２１の駆動制御、四方弁２２の切換制御、室外ファン２４の駆動制御、室外膨張弁２５や過冷却膨張弁２８の開度制御、液冷媒遮断弁５１やガス冷媒遮断弁５２の開閉制御、運転時間の計測、吐出過熱度や吸入過熱度の算出、アキュムレータ２６に取り付けた図示しない電気ヒータの通電／非通電、等を行う。
【００２３】
次に、室内機３の各構成を説明する。室内熱交換器８２は、冷媒と室内空気との熱交換を行うものであり、一方の冷媒出入口がガス冷媒配管１０２の他端と、他方の冷媒出入り口が室内膨張弁８１にそれぞれ冷媒配管で接続される。室内膨張弁８１は、室内熱交換器８２における冷媒流量を調整するものであり、図示しないパルスモータにより駆動され、パルスモータに与えるパルス数によって弁の開度が調整される。室内膨張弁８１は、一方のポートが室内熱交換器８２に、他方のポートが液冷媒配管１０１の他端に冷媒配管で接続される。尚、本実施例では、室内側開閉弁を室内膨張弁としているが、これに限定されるものではなく、例えば、電磁開閉弁と減圧手段（キャピラリーチューブや電子膨張弁）とを並列に組み合わせて冷媒流量を調整する機能を有するようにした構成であってもよい。
【００２４】
室内ファン８３は、室内熱交換器８２の近傍に配置され、図示しないファンモータによって回転することで、室内機３に室内空気を取り込み、室内熱交換器８２で冷媒と熱交換させた室内空気を室内機３外に放出する。また、室内機３には、室内熱交換器８２に流入あるいは流出する冷媒の温度や、室内の温度を検出するための各種温度センサが設けられている。
【００２５】
また、室内機３には、室内制御装置８４が備えられている。室内制御装置８４は、図示しない通信部や制御部を備えている。通信部は、図示しない通信線を介して、室外制御装置２９と随時運転情報のやり取りを行っている。制御部は、各センサで検知した結果や、室外制御装置２９から送られてくる運転情報に応じて、室内膨張弁８１の開度制御、室内ファン８３の駆動制御、等を行う。
【００２６】
以上のように、室外機２と、室内機３とが、液冷媒配管１０１とガス冷媒配管１０２とで接続されて空気調和機１が構成されている。そして、本実施例の空気調和機１は、四方弁２２を切り換えて冷房運転、または、暖房運転を行うとともに、室内機３の運転負荷に合わせて、各機器の制御を行っている。
【００２７】
次に本実施例の空気調和機１の運転動作について説明する。本実施例の空気調和機１は、冷房運転と、暖房運転と、本発明に関わる冷媒回収運転とが実施できる。
【００２８】
まず、冷房運転ついて図１を用いて説明する。
【００２９】
冷房運転時は、四方弁２２のポートａとｂが連通するように、また、ポートｃとｄが連通するように切り替えて四方弁２２が実線で示されている状態となり、実線矢印で示している方向に冷媒が循環する。室外熱交換器２３は凝縮器として機能し、室内熱交換器８２は蒸発器として機能し、液冷媒遮断弁５１とガス冷媒遮断弁５２は、常時開かれた状態である。室外膨張弁２５は全開とされる。過冷却膨張弁２８は、過冷却膨張弁２８から流出した冷媒が、第１バイパス管２７ａを通過して過冷却熱交換器２７の冷却側配管２７ｄへ流入し、過冷却熱交換器２７の被冷却側配管２７ｃを流れる冷媒と熱交換した後に過冷却熱交換器２７の冷却側配管２７ｄの冷媒出口側の過熱度に応じて開度が調整される。室内膨張弁８１は、室内熱交換器８２の冷媒出口側の過熱度に応じて開度が調整される。室外ファン２４は、吐出圧力センサ３１で検出する吐出圧力、もしくは、吐出圧力センサ３１で検出する値から換算した室外熱交換器２３での凝縮温度が一定になるように回転数が制御される。室内ファン８３は、使用者が設定する風量に対応する回転数で駆動する。
【００３０】
次に、暖房運転ついて図１を用いて説明する。
【００３１】
暖房運転時は、四方弁２２のポートａとｄが連通するように、また、ポートｂとｃが連通するように切り替えて四方弁２２が点線で示されている状態となり、点線矢印で示している方向に冷媒が循環する。室内熱交換器８２は凝縮器として機能し、室外熱交換器２３は蒸発器として機能する。液冷媒遮断弁５１とガス冷媒遮断弁５２は、常時開かれた状態である。室内膨張弁８１は、室内熱交換器８２の冷媒出口側における過冷却度に応じて開度が調整される。過冷却膨張弁２８は、過冷却膨張弁２８から流出した冷媒が、第１バイパス管２７ａを通過して過冷却熱交換器２７の冷却側配管２７ｄへ流入し、過冷却熱交換器２７の被冷却側配管２７ｃを流れる冷媒と熱交換した後に過冷却熱交換器２７の冷却側配管２７ｄの冷媒出口側の過熱度に応じて開度が調整される。室外膨張弁２５は、室外熱交換器２３の冷媒出口側の過熱度に応じて開度が調整される。室外ファン２４は、吸入圧力センサ３２で検出する吸入圧力、もしくは、吸入圧力センサ３２で検出する値から換算した室外熱交換器２３での蒸発温度が一定になるように回転数を制御する。室内ファン８３は、使用者が設定する風量に対応する回転数で駆動する。
【００３２】
次に、本発明に関わる冷媒回収運転について図２および図３を用いて説明する。本発明の冷媒回収運転は、室内機３とガス冷媒配管１０２とに滞留する冷媒を回収するガス冷媒回収運転と、液冷媒配管１０１に滞留する冷媒を回収する液冷媒回収運転とからなり、室内で冷媒漏れを検知した場合、ガス冷媒回収運転を先に行い、続けて液冷媒回収運転を行う。図２は、ガス冷媒回収運転時の各弁の開閉状態を示す。図３は、液冷媒回収運転時の各弁の開閉状態を示す。各弁の開閉状態は、閉じている場合を黒塗りにし、開いている場合を白抜きに図示する。また、各冷媒回収運転時の冷媒の流れを一点鎖線矢印で図示する。
【００３３】
本発明における冷媒回収運転の目的は、室内機３を介さずに液冷媒配管１０１に滞留する冷媒を回収することである。そのために、液冷媒配管１０１側から圧縮機２１吸入側に冷媒を流すためのバイパス回路を備える必要がある。本実施例においては、このバイパス回路は第１バイパス管２７ａと第２バイパス管２７ｂと過冷却熱交換器２７の冷却側配管２７ｄとで構成される。また、室内機３と液冷媒配管１０１とガス冷媒配管１０２とに滞留する冷媒が多量である場合、室外熱交換器２３だけでは、冷媒を回収しきれない場合があり、回収しきれないと、室内機３と液冷媒配管１０１とガス冷媒配管１０２とに滞留する冷媒量が多くなり、冷媒回路における室内側（室内熱交換器８２、液冷媒配管１０１やガス冷媒配管１０２の一部）から室内に漏れる冷媒量が多くなる虞があった。そこで、本実施例においては、室外機２内での室外熱交換器２３以外の冷媒の回収場所として、アキュムレータ２６を用いる。
【００３４】
冷媒回収運転は、室外制御装置２９が、室内に設置される冷媒検知センサからの出力信号を受信するか、サービスマンによる室内制御装置８４や図示しないリモコンの操作によって送信された冷媒回収運転開始信号を受信するか、あるいは、室外制御装置２９が直接操作されることで開始される。冷媒回収運転を実行するときは、室外制御装置２９は、四方弁２２が、図２に示す実線で示されている状態、つまり、冷房運転を行う時の状態となっているか否かを確認する。このとき、四方弁２２が点線で示される状態であれば、室外制御装置２９は、四方弁２２を実線で示されている状態に切り換える。
【００３５】
まず、ガス冷媒回収運転について、各弁の開閉動作と冷媒の流れを説明する。
【００３６】
室外制御装置２９は、ガス冷媒回収運転を行うとき、室内膨張弁８１を閉じるよう室内制御装置８４に指示するとともに、室外膨張弁２５と、過冷却膨張弁２８と、液冷媒遮断弁５１とを閉じる。これにより、冷媒回路は、図２に示す状態となる。そして、室外制御装置２９は、室外機２に回収した冷媒を凝縮させて室外熱交換器２３に回収するために圧縮機２１および室外ファン２４を駆動し、また、室内熱交換器８２に滞留する冷媒を蒸発させて室外機２に回収するために室内ファン８３を駆動してガス冷媒回収運転を開始する。
【００３７】
圧縮機２１を起動すると、室内機３における室内膨張弁８１より室内熱交換器８２側に滞留する冷媒と、ガス冷媒配管１０２に滞留する冷媒とが、図２に示す一点鎖線矢印のように流れて室外機２に流入する。室外機２に流入した冷媒は、四方弁２２、合流部６２を介してアキュムレータ２６に流入する。アキュムレータ２６に流入した冷媒のうち、液冷媒はアキュムレータ２６に滞留し、ガス冷媒は圧縮機２１に吸入され、圧縮機２１から四方弁２２を介して室外熱交換器２３に流入する。室外熱交換器２３に流入した冷媒は、室外膨張弁２５に向かって流出するが、室外膨張弁２５は閉じられているので、室外熱交換器２３に冷媒が溜まっていく。
【００３８】
ガス冷媒回収運転を行っているときは、室内膨張弁８１を閉じているので、液冷媒配管１０１に滞留する冷媒が室内機３に流入することがない。また、室外膨張弁２５と、過冷却膨張弁２８と、液冷媒遮断弁５１とを閉じているので、室外機２における室外膨張弁２５と液冷媒遮断弁５１との間の冷媒配管に滞留する冷媒および合流部６１と過冷却膨張弁２８との間の第１バイパス管２７ａに滞留する冷媒は、室外膨張弁２５と過冷却膨張弁２８と液冷媒遮断弁５１との間に閉じ込められた状態となるので、この場所に滞留する冷媒が、過冷却熱交換器２７から合流部６２を介してアキュムレータ２６に流れない。
【００３９】
ガス冷媒回収運転を行っているとき、室外制御装置２９は、吸入圧力センサ３２が検出した吸入圧力を定期的に取り込んでおり、取り込んだ吸入圧力が第１の所定閾圧力（例えば、０．０１ＭＰａ）以下となれば、室内機３およびガス冷媒配管１０２に滞留する冷媒の回収が完了したと判断する。また、ガス冷媒回収運転において、室内機３およびガス冷媒配管１０２内の圧力が大気圧以下になると、冷媒漏れ部から室内機３およびガス冷媒配管１０２に空気が流入し、冷媒漏れ部の大きさによっては、圧縮機２１が空気を吸入し続け、吸入圧力が第１の所定閾圧力以下にならない場合があるため、室外制御装置２９は、ガス冷媒回収運転を開始してからの運転時間を計測し、ガス冷媒回収運転の運転時間が第１の所定時間（例えば、１８０秒）を経過すれば、室内機３およびガス冷媒配管１０２に滞留する冷媒の回収が完了したと判断する。運転時間については、予め試験で確認したものであり、設置状況に合わせて、室内機３およびガス冷媒配管１０２に滞留する冷媒を回収できる時間に設定している。そして、室外制御装置２９は、ガス冷媒遮断弁５２を閉じて、ガス冷媒回収運転を終了する。ガス冷媒回収運転が終了と同時に液冷媒回収運転に切り替えるので、圧縮機２１と室外ファン２４と室内ファン８３は駆動させたままにする。
【００４０】
次に、液冷媒回収運転について各弁の開閉状態と冷媒の流れを説明する。
【００４１】
室外制御装置２９は、液冷媒回収運転を行うとき、室外膨張弁２５および室内膨張弁８１は閉じたままとし、過冷却膨張弁２８と、液冷媒遮断弁５１とを開く。これにより、冷媒回路は図３に示す状態となり、液冷媒回収運転が開始される。圧縮機２１と室外ファン２４と室内ファン８３は、ガス冷媒回収運転から継続して駆動している。
【００４２】
液冷媒回収運転を開始すると、液冷媒配管１０１に滞留する冷媒とが図３に示す一点鎖線矢印のように流れて室外機２に流入する。室外機２に流入した冷媒は、過冷却熱交換器２７の被冷却側配管２７ｃ、第１バイパス管２７ａ、過冷却熱交換器２７の冷却側配管２７ｄ、第２バイパス管２７ｂおよび合流部６２を介してアキュムレータ２６に流入する。アキュムレータ２６に流入した冷媒のうち、液冷媒はアキュムレータ２６に滞留し、ガス冷媒は圧縮機２１に吸入され、圧縮機２１から四方弁２２を介して室外熱交換器２３に流入する。室外熱交換器２３に流入した冷媒は、室外膨張弁２５に向かって流出するが、室外膨張弁２５は閉じられているので、室外熱交換器２３に冷媒が溜まっていく。
【００４３】
液冷媒回収運転を行っているときは、室内膨張弁８１を閉じ、室外機２の液冷媒配管１０１側から室外機２に冷媒を回収しているので、液冷媒配管１０１に滞留する冷媒が室内機３に流入することがない。また、ガス冷媒遮断弁５２を閉じているので、液冷媒配管１０１に滞留する冷媒が、第１バイパス管２７ａ、過冷却熱交換器２７の冷却側配管２７ｄ、第２バイパス管２７ｂから合流部６２および四方弁２２を介して、室内機３およびガス冷媒配管１０２に流入することはない。
【００４４】
液冷媒回収運転を行っているときに、室外制御装置２９は、吸入圧力センサ３２が検出した吸入圧力を定期的に取り込んでおり、取り込んだ吸入圧力が第２の所定閾圧力（例えば、０．０５ＭＰａ）以下となれば、液冷媒配管１０１に滞留する冷媒の回収が完了したと判断する。また、室内膨張弁８１よりも液冷媒配管１０１側で冷媒漏れが発生する場合もあるため、室外制御装置２９は、ガス冷媒回収運転と同様に、液冷媒回収運転が開始してからの運転時間を計測し、取り込んだ吸入圧力が第２の所定閾圧力以下とならなくても、液冷媒回収運転の運転時間が第２の所定時間（例えば、３６０秒）を経過すれば、室内機３および液冷媒配管１０１に滞留する冷媒の回収が完了したと判断する。運転時間については、ガス冷媒回収運転と同様に、予め試験で確認したものであり、設置状況に合わせて、室内機３および液冷媒配管１０１に滞留する冷媒を回収できる時間に設定している。そして、室外制御装置２９は、液冷媒遮断弁５１を閉じて、圧縮機２１と室外ファン２４と室内ファン８３を停止し、液冷媒回収運転を終了する。
【００４５】
尚、ガス冷媒回収運転には第１の所定閾圧力と第１の所定時間、液冷媒回収運転には第２の所定閾圧力と第２の所定時間と冷媒回収運転毎に設けているが、これに限らず、第１の閾圧力と第２の所定閾圧力、第１の所定時間と第２の所定時間を同じ値として冷媒回収運転の完了を判断してもよい。
【００４６】
以上説明したように、冷媒回収運転においては、室内膨張弁８１を閉じた後、ガス冷媒回収運転、液冷媒回収運転の順で冷媒回収運転を行う。先にガス冷媒回収運転を行って、室内機３およびガス冷媒配管１０２に滞留する冷媒を回収した後に、液冷媒回収運転を行って、室内機３を介さずに液冷媒配管１０１に滞留する冷媒を回収するので、室内への冷媒漏れを最小限に抑えることができる。
【００４７】
上述した冷媒回収運転を行うとき、室内への冷媒漏れを最小限に抑えるために、冷媒回路における室内側の冷媒をできる限り室外機２に回収することが望ましい。しかし、室外熱交換器２３とアキュムレータ２６との内容積の違いや回収した冷媒の状態（ガス冷媒と液冷媒の割合）によって、同じ割合で室外熱交換器２３とアキュムレータ２６に冷媒が溜まるとは限らず、いずれか一方に偏って溜まる場合がある。この場合、例えば、室外機２に回収した冷媒が室外熱交換器２３に偏ると、室外熱交換器２３に冷媒を回収できる場所が無くなり、この状況で圧縮機２１を駆動し続けると圧縮機２１が故障し、冷媒回収運転の継続ができなくなる。このような状況を回避するために、室外熱交換器２３がアキュムレータ２６よりも先に満液になった（例えば、室外熱交換器２３の内容積の８０％以上が液冷媒で満たされる）、もしくは、アキュムレータ２６が室外熱交換器２３よりも先に満液になった（例えば、アキュムレータ２６の内容積の９０％以上が液冷媒で満たされる）場合、室外制御装置２９は、室外熱交換器２３もしくはアキュムレータ２６の満液を解消するために熱交冷媒排出運転または余剰冷媒排出運転を実行する。これら熱交冷媒排出運転および余剰冷媒排出運転について図４および図５を用いて説明する。図４は、熱交冷媒排出運転時の各弁の開閉状態を示す。図５は、余剰冷媒排出運転時の各弁の開閉状態を示す。各弁の開閉状態は、閉じている場合を黒塗りにし、開いている場合を白抜きに図示する。また、各冷媒排出運転時の冷媒の流れを一点鎖線矢印で図示する。
【００４８】
まず、熱交冷媒排出運転について各弁の開閉状態と冷媒の流れを説明する。
【００４９】
室外制御装置２９は、冷媒回収運転時に、室外熱交換器２３が液冷媒で満たされてくると、室外熱交換器２３で冷媒が凝縮できなくなり、圧縮機２１の吐出側の圧力が上昇する。そこで、吐出圧力センサ３１で検出した吐出圧力が第３の所定閾圧力（例えば、３．５ＭＰａ）以上になると、室外熱交換器２３が満液であると判断し、吐出圧力上昇による圧縮機２１の故障や配管折れを防ぐため、冷媒回収運転を中断して熱交冷媒排出運転を行う。
【００５０】
熱交冷媒排出運転を行うとき、液冷媒遮断弁５１およびガス冷媒遮断弁５２を閉じた後に、室外膨張弁２５を開く。これにより、冷媒回路は図４の状態となり、熱交冷媒排出運転が開始される。
【００５１】
熱交冷媒排出運転が開始されると、室外熱交換器２３に滞留する冷媒が図４に示す一点鎖線矢印のように流れてアキュムレータ２６に流入する。液冷媒遮断弁５１とガス冷媒遮断弁５２とを閉じているので、室外熱交換器２３から流出した冷媒が室内機３と液冷媒配管１０１とガス冷媒配管１０２に流入することがなく、室外熱交換器２３の満液を解消できる。室外制御装置２９は、室外熱交換器２３に滞留した冷媒が流出すれば、吐出圧力が低下するので、第４の所定閾圧力（例えば、３．０ＭＰａ）以下になると、室外熱交換器２３の満液が解消されたと判断し、熱交冷媒回収運転を終了して冷媒回収運転を再開する。尚、第３の所定閾圧力や第４の所定閾圧力は予め試験で求めたものであり、吐出圧力が３．５ＭＰａは室外熱交換器２３の８０％が液冷媒で満たされたときの値であり、吐出圧力が３．０ＭＰａは室外熱交換器２３の２０％が液冷媒で満たされたときの値である。
【００５２】
次に、余剰冷媒排出運転について各弁の開閉状態と冷媒の流れを説明する。
【００５３】
室外制御装置２９は、冷媒回収運転時に、アキュムレータ２６が液冷媒で満たされてくると、アキュムレータ２６から少しずつ液冷媒が流出し始めることで、圧縮機２１から吐出される吐出温度が下がり、圧縮機２１の吐出側の過熱度（以下、吐出過熱度とする）が小さくなる。そこで、吐出温度センサ４１で検出した吐出温度と吐出圧力センサ３１で検出した吐出圧力から換算した吐出圧力飽和温度との差から算出する吐出過熱度が第１の所定閾温度（例えば、４℃）以下になると、アキュムレータ２６が満液であると判断し、液圧縮による圧縮機２１の故障を防ぐため、冷媒回収運転を中断して余剰冷媒排出運転を行う。
【００５４】
余剰冷媒排出運転を行うとき、液冷媒遮断弁５１およびガス冷媒遮断弁５２を閉じる。これにより、冷媒回路は図５の状態となり、余剰冷媒排出運転が開始される。尚、余剰冷媒排出運転を行うとき、アキュムレータ２６に取り付けた図示しない電気ヒータに通電する。
【００５５】
余剰冷媒排出運転が開始されると、アキュムレータ２６に滞留する冷媒が図５に示す一点鎖線矢印のように流れて室外熱交換器２３に流入する。このとき、液冷媒遮断弁５１とガス冷媒遮断弁５２とを閉じているので、アキュムレータ２６に流入する冷媒は無い。また、アキュムレータ２６を電気ヒータで加熱して温めることでアキュムレータ２６に滞留する液冷媒の一部が蒸発してガス冷媒となるので、アキュムレータ２６から冷媒を排出させることができる。このように、アキュムレータ２６に流入する冷媒がなく、かつ、アキュムレータ２６から冷媒を排出させることによって、アキュムレータ２６の満液を解消できる。室外制御装置２９は、アキュムレータ２６に滞留する液冷媒が減少してアキュムレータ２６から液冷媒の流出が収まると、圧縮機２１の吐出側の過熱度が大きくなるので、第２の所定閾温度（例えば、８℃）以上になると、アキュムレータ２６の満液が解消されたと判断し、余剰冷媒回収運転を終了して冷媒回収運転を再開する。尚、第１の所定閾温度と第１の所定閾温度は予め試験で求めたものであり、吐出過熱度が４℃はアキュムレータ２６の９０％が液冷媒で満たされたときの値であり、吐出過熱度が８℃はアキュムレータ２６の５０％が液冷媒で満たされたときの値である。
【００５６】
以上説明したように、冷媒回収運転時に、室外熱交換器２３が満液となれば熱交冷媒排出運転を行い、アキュムレータ２６が満液となれば余剰冷媒排出運転を行うことで、それぞれの満液を解消することができ、冷媒回収運転を継続できる。ただし、例えば、室外熱交換器２３が満液となれば、熱交冷媒排出運転を行い室外熱交換器２３に滞留する冷媒がアキュムレータ２６に流入するが、室外熱交換器２３の満液が解消する前にアキュムレータ２６が満液になるという場合のように、熱交冷媒排出運転時もしくは余剰冷媒排出運転時に、室外熱交換器２３およびアキュムレータ２６の満液が解消できない場合、室外機２に冷媒回収場所が無くなるので冷媒回収運転を終了する。尚、冷媒回収運転時に室外熱交換器２３とアキュムレータ２６とが同時に満液となった場合も冷媒回収運転を終了する。
【００５７】
次に、図６、図７、図８に示すフローチャートを用いて冷媒回収運転に関する処理の流れを説明する。図６に示すフローチャートは、室外制御装置２９が実行する冷媒回収運転に関する処理の流れを示すものであり、図７は、図６に示すフローチャートのサブルーチンであり、熱交冷媒排出運転に関する処理の流れを示すものであり、図８は、図６に示すフローチャートのサブルーチンであり、余剰冷媒排出運転に関する処理の流れを示すものである。いずれのフローチャートにおいても、ＳＴはステップを表しこれに続く数字はステップ番号を表している。
【００５８】
まずは、図６を用いて冷媒回収運転時の処理について説明する。
【００５９】
室外制御装置２９は、冷媒検知センサからの入力やサービスマンからの指示により冷媒回収運転を開始する。まず、室外制御装置２９は、ガス冷媒回収運転準備を行う（ＳＴ１）。ガス冷媒回収運転準備では、室外制御装置２９は、室外膨張弁２５と、過冷却膨張弁２８と、液冷媒遮断弁５１とを閉じて、圧縮機２１と、室外ファン２４とを駆動する。また、室外制御装置２９は、室内制御装置８４に、室内膨張弁８１を閉じて、室内ファン８３を駆動するように指示する。
【００６０】
次に、室外制御装置２９は、ガス冷媒回収運転時間を計測するため、タイマー計測を開始する（ＳＴ２）。
【００６１】
次に、室外制御装置２９は、吐出圧力センサ３１、吸入圧力センサ３２、吐出温度センサ４１で検出している圧力・温度データを取り込む（ＳＴ３）。尚、室外制御装置２９は、吐出圧力センサ３１、吸入圧力センサ３２、吐出温度センサ４１で検出している圧力・温度データを定期的（例えば1秒毎）に取り込んで記憶している。
【００６２】
次に、室外制御装置２９は、ＳＴ３で取り込んだ圧力・温度データを用いて、アキュムレータ２６が満液であるか否かを判断する（ＳＴ４）。アキュムレータ２６が満液の状態で冷媒回収運転を実行すると、圧縮機２１への液戻りによる故障が発生する虞がある。これを回避するため、室外熱交換器２３が満液であるか否かの判断よりもアキュムレータ２６が満液であるか否かの判断を先に行う。具体的には、取り込んだ吐出温度センサ４１の検出値と、吐出圧力センサ３１の検出値から換算した吐出圧力飽和温度との差である吐出過熱度が第１の所定閾温度の４℃以下であるか否かで、アキュムレータ２６が満液であるか否かを判断する。アキュムレータ２６が満液である場合（ＳＴ４−Ｙｅｓ）、室外制御装置２９は、ＳＴ１９に処理を進める。アキュムレータ２６が満液ではない場合（ＳＴ４−Ｎｏ）、室外制御装置２９は、ＳＴ５に処理を進める。
【００６３】
ＳＴ１９に処理が進むと、ＳＴ３で取り込んだ圧力・温度データを用いて、室外熱交換器２３が満液であるか否かを判断する。具体的には、取り込んだ吐出圧力センサ３１で検出した吐出圧力が第３の所定閾圧力の３．５ＭＰａ以上であるか否かで室外熱交換器２３が満液であるか否かを判断する。室外熱交換器２３が満液である場合（ＳＴ１９−Ｙｅｓ）、室外熱交換器２３およびアキュムレータ２６が同時に満液となり、これ以上の冷媒回収運転が行えないので、室外制御装置２９は、過冷却膨張弁２８と、液冷媒遮断弁５１と、ガス冷媒遮断弁５２とを閉じて、圧縮機２１と、室外ファン２４とを停止させ冷媒回収運転を終了し、本発明に関わる処理を終了する。室外熱交換器２３が満液ではない場合（ＳＴ１９−Ｎｏ）、室外制御装置２９は、冷媒回収運転を一時中断し、余剰冷媒排出運転を行い（ＳＴ２０）、ＳＴ１６に処理を進める。
【００６４】
ＳＴ５に処理が進むと、ＳＴ３で取り込んだ圧力・温度データを用いて、室外熱交換器２３が液冷媒で満たされた状態であるか否かを判断する。具体的には、取り込んだ吐出圧力センサ３１で検出した吐出圧力が第３の所定閾圧力の３．５ＭＰａ以上であるか否かで室外熱交換器２３が満液であるか否かを判断する。室外熱交換器２３が満液である場合（ＳＴ５−Ｙｅｓ）、室外制御装置２９は、冷媒回収運転を一時中断し、熱交冷媒排出運転を行い（ＳＴ１５）、ＳＴ１６に処理を進める。室外熱交換器２３が満液ではない場合（ＳＴ５−Ｎｏ）、室外制御装置２９は、冷媒回収運転を継続して、ＳＴ６に処理を進める。
【００６５】
ＳＴ１６では、室外制御装置２９は、後述する満液フラグが「０」であるか否かを判断する。満液フラグが「０」である場合は、熱交冷媒排出運転（ＳＴ１５）もしくは余剰冷媒排出運転（ＳＴ２０）を行ったことで、室外熱交換器２３もしくはアキュムレータ２６の満液が解消できたことを表し、満液フラグ「１」の場合は、熱交冷媒排出運転（ＳＴ１５）もしくは余剰冷媒排出運転（ＳＴ２０）を行っても、室外熱交換器２３およびアキュムレータ２６の満液が解消できなかったことを表す。満液フラグが「０」であれば（ＳＴ１６−Ｙｅｓ）、室外制御装置２９は、ＳＴ６に処理を進める。満液フラグが「１」であれば（ＳＴ１６−Ｎｏ）、室外制御装置２９は、冷媒回収運転を終了し、本発明に関わる処理を終了する。
【００６６】
次に、室外制御装置２９は、ガス冷媒の回収が完了したか否かを判断する。これは、室内機３およびガス冷媒配管１０２に滞留する冷媒を室外機２に回収できたか否かを判断するものであり、具体的には、取り込んだ吸入圧力センサ３２で検出した吸入圧力が第１の所定閾圧力の０．０５ＭＰａ以下であるか否か、もしくは、ＳＴ２でタイマー計測してから第１の所定時間の１８０秒経過したか否かでガス冷媒の回収が完了したか否かを判断する。ガス冷媒の回収が完了していれば（ＳＴ６−Ｙｅｓ）、室外制御装置２９は、ガス冷媒遮断弁５２を閉じて、ガス冷媒回収運転を終了する（ＳＴ７）。ガス冷媒の回収が完了していなければ（ＳＴ６−Ｎｏ）、室外制御装置２９は、ＳＴ３に処理を戻し、ガス冷媒回収運転を継続する。
【００６７】
ガス冷媒回収運転が終了すると、次に、室外制御装置２９は、液冷媒回収運転準備を行う（ＳＴ８）。液冷媒回収運転準備では、室外制御装置２９は、過冷却膨張弁２８と、液冷媒遮断弁５１とを開く。
【００６８】
次に、室外制御装置２９は、液冷媒回収運転時間を計測するため、タイマー計測を開始する（ＳＴ９）。
【００６９】
次に、室外制御装置２９は、吐出圧力センサ３１、吸入圧力センサ３２、吐出温度センサ４１で検出している圧力・温度データ取り込み処理を行う（ＳＴ１０）。
【００７０】
次に、室外制御装置２９は、ＳＴ１０で取り込んだ圧力・温度データを用いて、室外熱交換器２３およびアキュムレータ２６が満液であるか否かを判定する。尚、本判定に関わる処理である、ＳＴ１１、ＳＴ１２、ＳＴ１７、ＳＴ１８、ＳＴ２１、ＳＴ２２については、前述したＳＴ４、ＳＴ５、ＳＴ１５、ＳＴ１６、ＳＴ１９、ＳＴ２０と同様の処理であるので、詳細な説明は省略する。
【００７１】
ＳＴ１２において室外熱交換器２３が満液ではない（ＳＴ１２−Ｎｏ）、もしくは、ＳＴ１８において冷媒回収運転を再開できる（ＳＴ１８−Ｙｅｓ）と判断し、ＳＴ１３に処理が進むと、次に、室外制御装置２９は、液冷媒の回収が完了したか否かを判断する。これは、液冷媒配管１０１に滞留する冷媒を室外機２に回収できたか否かを判断するものであり、具体的には、取り込んだ吸入圧力センサ３２で検出した吸入圧力が第２の所定閾圧力の０．０５ＭＰａ以下であるか否か、もしくは、ＳＴ９でタイマー計測を開始してから第２の所定時間の３６０秒経過したか否かで液冷媒の回収が完了したか否かを判断する。液冷媒の回収が完了していれば（ＳＴ１３−Ｙｅｓ）、室外制御装置２９は、過冷却膨張弁２８と、液冷媒遮断弁５１とを閉じて、圧縮機２１と室外ファン２４とを停止し、液冷媒回収運転を終了する（ＳＴ１４）。液冷媒の回収が完了していなければ（ＳＴ１３−Ｎｏ）、室外制御装置２９は、ＳＴ１０に処理を戻し、液冷媒回収運転を継続する。
【００７２】
次に、図７を用いて、図６のＳＴ１５、または、ＳＴ１７で行う、熱交冷媒排出運転について説明する。
【００７３】
まず、室外制御装置２９は、熱交冷媒排出運転準備を行う（ＳＴ１０１）。具体的には、冷媒回収運転を中断するため、液冷媒遮断弁５１およびガス冷媒遮断弁５２を閉じ、室外熱交換器２３内に滞留する冷媒を排出するため、室外膨張弁２５を開く。
【００７４】
次に、室外制御装置２９は、吐出圧力センサ３１、吸入圧力センサ３２、吐出温度センサ４１で検出している圧力・温度データを取り込む（ＳＴ１０２）。
【００７５】
次に、室外制御装置２９は、室外熱交換器２３の液冷媒が排出されたか否かを判断する（ＳＴ１０３）。具体的には、取り込んだ吐出圧力センサ３１で検出した吐出圧力が第４の所定閾圧力の３．０ＭＰａ以下であるか否かで室外熱交換器２３の液冷媒が排出されたか否かを判断する。室外熱交換器２３の液冷媒が排出された場合（ＳＴ１０３−Ｙｅｓ）、室外制御装置２９は、室外熱交換器２３の満液を解消できたので、満液フラグを「０」（ＳＴ１０４）にし、室外膨張弁２５を閉じて、ガス冷媒回収運転時（図６のＳＴ１５）に熱交冷媒排出運転を行う場合はガス冷媒遮断弁５２を開き、液冷媒回収運転時（図６のＳＴ１７）で熱交冷媒排出運転を行う場合は液冷媒遮断弁５１を開いて熱交冷媒排出運転を終了する。室外熱交換器２３の液冷媒が排出されていない場合（ＳＴ１０３−Ｎｏ）、室外制御装置２９は、ＳＴ１０５に処理を進める。
【００７６】
ＳＴ１０５では、室外制御装置２９は、アキュムレータ２６が満液であるか否かを判断する。具体的には、吐出過熱度が第１の所定閾温度の４℃以下であるか否かで、アキュムレータ２６が満液であるか否かを判断する。アキュムレータ２６が満液である場合（ＳＴ１０５−Ｙｅｓ）、室外制御装置２９は、室外熱交換器２３およびアキュムレータ２６の満液を解消できなかったので、満液フラグを「１」（ＳＴ１０６）にして、熱交冷媒排出運転を終了する。アキュムレータ２６が満液ではない場合（ＳＴ１０５−Ｎｏ）、室外制御装置２９は、ＳＴ１０２に処理を戻し、熱交冷媒排出運転を継続する。
【００７７】
次に、図８を用いて、図６のＳＴ２０、または、ＳＴ２２で行う、余剰冷媒排出運転について説明する。
【００７８】
まず、室外制御装置２９は、余剰冷媒排出運転準備を行う（ＳＴ２０１）。具体的には、冷媒回収運転を中断するため、液冷媒遮断弁５１およびガス冷媒遮断弁５２を閉じる。このとき、室外制御装置２９は、アキュムレータ２６に取り付けた図示しない電気ヒータに通電を開始する。
【００７９】
次に、室外制御装置２９は、吐出圧力センサ３１、吸入圧力センサ３２、吐出温度センサ４１で検出している圧力・温度データを取り込む（ＳＴ２０２）。
【００８０】
次に、室外制御装置２９は、アキュムレータ２６の液冷媒が排出されたか否かを判断する。（ＳＴ２０３）。具体的には、取り込んだ吐出温度センサ４１の検出値と吐出圧力センサ３１の検出値から換算した吐出圧力飽和温度との差である吐出過熱度が第２の所定閾温度の８℃以上であるか否かでアキュムレータ２６の液冷媒が排出されたか否かを判断する。アキュムレータ２６の液冷媒が排出された場合（ＳＴ２０３−Ｙｅｓ）、室外制御装置２９は、アキュムレータ２６の満液が解消できたので、満液フラグを「０」（ＳＴ２０４）にし、アキュムレータ２６に取り付けた図示しない電気ヒータへの通電を止め、ガス冷媒回収運転時（図６のＳＴ２０）に余剰冷媒回収運転を行う場合は、ガス冷媒遮断弁５２を開き、液冷媒回収運転時（図６のＳＴ２２）に余剰冷媒回収運転を行う場合は、液冷媒遮断弁５１を開いて余剰冷媒排出運転を終了させる。アキュムレータ２６の液冷媒が排出されていない場合（ＳＴ２０３−Ｎｏ）、室外制御装置２９は、ＳＴ２０５に処理を進める。
【００８１】
ＳＴ２０５において、室外制御装置２９は、室外熱交換器２３が満液であるか否かを判断する。具体的には、吐出圧力が第３の所定閾圧力の３．５ＭＰａ以上であるか否かで室外熱交換器２３が満液であるか否かを判断する。室外熱交換器２３が満液である場合（ＳＴ２０５−Ｙｅｓ）、室外制御装置２９は、室外熱交換器２３およびアキュムレータ２６の満液を解消できなかったので、満液フラグを「１」（ＳＴ２０６）にして、アキュムレータ２６に取り付けた図示しない電気ヒータへの通電を止め、余剰冷媒排出運転を終了する。室外熱交換器２３満液ではない場合（ＳＴ２０５−Ｎｏ）、室外制御装置２９は、ＳＴ２０２に処理を戻す。余剰冷媒排出運転を継続する。
【００８２】
以上説明した通り、本実施例によれば、室内機３を介さずに液冷媒配管１０１に滞留する冷媒を室外機２に回収することができる。さらに冷媒排出運転を行うことで室外熱交換器２３もしくはアキュムレータ２６の満液を解消し、冷媒回収運転を継続できるので、冷媒回路における室内側に滞留する冷媒を出来る限り多く回収することができ、室内への冷媒漏れ量を削減できる。
【００８３】
尚、本実施例では、室外熱交換器２３が満液であるか否かを吐出圧力を用いて判断したが、これに限らず、例えば、室外熱交換器２３に複数の温度センサを取り付け、複数の温度センサの検出値を用いて、室外熱交換器２３が満液であるか否かを判断してもよい。また、アキュムレータ２６が満液であるか否かを吐出過熱度を用いて判定したが、これに限らず、例えば、吐出温度センサ４１の検出値や吸入温度センサ４２の検出値を用いて、アキュムレータ２６が満液であるか否かを判断してもよい。
【実施例２】
【００８４】
次に本発明による空気調和機１の第２の実施例について説明する。尚、本実施例では、冷媒回収運転による各弁の動作やその効果については、第１の実施例と同じであるため、詳細な説明を省略する。第１の実施例と異なるのは、ガス冷媒遮断弁５２を逆止弁５３にしたことである。
【００８５】
図９は、第２の実施例における空気調和機１の冷媒回路構成である。図９では、図１で説明したガス冷媒遮断弁５２を無くし、四方弁２２のポートｃとアキュムレータ２６を接続する冷媒配管におけるポートｃと合流部６２との間に、四方弁２２のポートｃからアキュムレータ２６へ冷媒が流れる方向に逆止弁５３を取り付ける。逆止弁５３の働きにより、液冷媒回収運転時に、液冷媒配管１０１に滞留する冷媒が、第１バイパス管２７ａ、過冷却熱交換器２７の冷却側配管２７ｄ、第２バイパス管２７ｂから合流部６２および四方弁２２を介して、室内機３およびガス冷媒配管１０２に冷媒が流出し、室内に冷媒が漏れることはない。
【００８６】
以上説明した実施例では、ガス冷媒遮断弁５２を逆止弁５３としたことで、より安価な構成で本発明を実施できる。また、室外制御装置２９によるガス冷媒遮断弁５２の開閉制御が無く、冷媒回収運転に関わる制御をより簡略化できる。
【００８７】
以上説明した通り、本発明の空気調和機は、室内機を介さずに液冷媒配管に滞留する冷媒を室外機に回収することができるので、室内機で冷媒漏れが発生した場合でも、室内への冷媒漏れを最小限に抑えることができる。また、室外熱交換器に加えアキュムレータにも冷媒を滞留させることで、封入冷媒量が多い空気調和機においても冷媒回収運転が確実に行える。
【００８８】
尚、以上説明した実施例では、ガス冷媒回収運転を行ってから液冷媒回収運転を行う順番で説明したが、本発明は、これに限るものではなく、液冷媒配管から冷媒漏れが発生した場合は、液冷媒回収運転を行ってからガス冷媒回収運転を行ってもよい。冷媒漏れ部に応じてガス冷媒回収運転と液冷媒回収運転とを行う順番決定すれば、より室内への冷媒漏れ量を削減できる。また、ガス冷媒回収運転と液冷媒回収運転のどちらかだけを行うだけでも室内への冷媒漏れ量を削減できる。また、四方弁を備えた冷暖房切換型の空気調和機だけではなく、冷房専用の空気調和機で実施しても同様の効果が得られる。また、過冷却熱交換器を介して液冷媒配管の冷媒を回収したが、本発明は、これに限るものではなく、過冷却熱交換器を備えない空気調和機においては、室外膨張弁と液冷媒遮断弁の間とガス冷媒遮断弁とアキュムレータの間とをバイパスする、過冷却熱交換器の冷却側配管、第１バイパス管および第２バイパス管と同様の冷媒回収用開閉弁を有するバイパス回路を備えた構成でもよい。また、室外機に、バイパス回路、液冷媒遮断弁、ガス冷媒遮断弁を備える必要はなく、各接続配管の途中、または、室外機と各接続配管の間にこれらの構成を備えてもよい。
【００８９】
尚、以上説明した実施例では、余剰冷媒排出運転時にアキュムレータに取り付けた電気ヒータを用いて冷媒を蒸発させる場合について説明したが、圧縮機から吐出された高温の冷媒をアキュムレータに流入させることでアキュムレータに滞留する冷媒を蒸発させてもよく、例えば、圧縮機と室外熱交換器の間とガス冷媒遮断弁とアキュムレータの間とをバイパスするバイパス管と開閉弁とを有するバイパス回路を備えた構成とし、開閉弁を開くことで圧縮機から吐出された高温の冷媒をアキュムレータに流入させ冷媒を蒸発させてもよい。
【符号の説明】
【００９０】
１  空気調和機
２  室外機
３  室内機
２１  圧縮機
２２  四方弁
２３  室外熱交換器
２４  室外ファン
２５  室外膨張弁
２６  アキュムレータ
２７  過冷却熱交換器
２７ａ  第１バイパス管
２７ｂ  第２バイパス管
２７ｃ  被冷却側配管
２７ｄ  冷却側配管
２８  過冷却膨張弁
３１  吐出圧力センサ
３２  吸入圧力センサ
４１  吐出温度センサ
４２  吸入温度センサ
５１  液冷媒遮断弁
５２  ガス冷媒遮断弁
５３  逆止弁
８１  室内膨張弁
１０１  液冷媒配管
１０２  ガス冷媒配管
【図１】
2015075272.tif 000003
【図２】
2015075272.tif 000004
【図３】
2015075272.tif 000005
【図４】
2015075272.tif 000006
【図５】
2015075272.tif 000007
【図６】
2015075272.tif 000008
【図７】
2015075272.tif 000009
【図８】
2015075272.tif 000010
【図９】
2015075272.tif 000011